(57)【特許請求の範囲】
【請求項１】
杆部と、この杆部の先端部から垂下する垂下部と、この垂下部の下端にて開口する吐水口とを有する吐水管に取着される吐水管キャップであって、前記杆部の上面部分及び垂下部の前面部分を覆う第１キャップ体と、前記杆部の下面部分及び垂下部の後面部分を覆い、前記第１キャップ体に一体化される第２キャップ体とを備え、前記垂下部における第１キャップ体と第２キャップ体との接合縁部を前記第１キャップ体の前記垂下部に対応する部分の背面側に形成される開口端縁とし、前記垂下部の真横より後方に配置するとともに、吐水管の正面側からみた場合、前記第１キャップ体の背面側に隠れるように配置したことを特徴とする吐水管キャップ。
【発明の詳細な説明】
【０００１】
【発明の属する技術の分野】
本発明は、台所や浴室において使用される湯水混合水栓等の水栓の吐水管の先端部分を被覆するキャップに関し、特に複数に分割されて吐水管の先端部に一体化するようにした吐水管キャップに関するものである。
【０００２】
【従来の技術】
例えば、台所や浴室において使用される湯水混合水栓等の水栓の吐水管は、金属製のものとして形成してあるため、熱湯を吐出させた後には、過熱したものとなる。このため、吐水管の手や身体が触れ易い部分に、合成樹脂等の断熱性のある材料によって形成した吐水管キャップを取着することが行われている。また吐水管キャップは、吐水管を構成している金属に対して、色や材質を簡単に異ならせることができるため、吐水管全体の意匠的な美観を図る上でも大いに利用されているものである。
【０００３】
このような吐水管キャップの中には、例えば実開平７−２９０５９号公報に提案されているようなものがある。これは、図１２に示すように、吐水管の先端部分の上面側及び前面側を覆う第１キャップ体と、下面側を覆う第２キャップ体とからなるものである。そして、この吐水管にあっては、分割された２つのキャップ体の一つを、他の一つに差し込むものであるため、吐水管の垂下部分においてその接合縁部が真横に露出せざるを得ないものとなっており、この接合縁部に手や食器等の物が当り易い構造のものとなっている。従って、この吐水管キャップは、各キャップ体の接合縁部に衝撃を受け易く、各キャップ体が簡単に外れてしまう虞が十分あると考えられる。
【０００４】
そこで、本発明者等は、分割体からなる吐水管キャップにおいて、その接合縁部に手や物品が触れたり衝突しにくくするにはどうしたらよいかについて種々検討を重ねてきた結果、本発明を完成したのである。
【０００５】
【発明が解決しようとする課題】
本発明は、以上のような経緯に基づいてなされたもので、その解決しようとする課題は、分割した第１キャップ体と第２キャップ体との接合縁部に物等が容易に衝突しないようにすることができ、吐水管から簡単には外れないようにすることのできる吐水管キャップを提供することにある。
【０００６】
【課題を解決するための手段】
以上の課題を解決するために、まず、請求項１に係る発明の採った手段は、後述する実施の形態の説明中で使用する符号を付して説明すると、「杆部２１０と、この杆部２１０の先端部２１１から垂下する垂下部２１２と、この垂下部２１２の下端に開口する吐水口２１３とを有する吐水管２００に取着される吐水管キャップ１００であって、杆部２１０の上面部分及び垂下部２１２の前面部分を覆う第１キャップ体１０と、杆部２１０の下面部分及び垂下部２１２の後面部分を覆い、第１キャップ体１０に一体化される第２キャップ体２０とを備え、垂下部２１２における第１キャップ体１０と第２キャップ体２０との接合縁部３０を前記第１キャップ体１０の前記垂下部２１２に対応する部分の背面側に形成される開口端縁とし、前記垂下部２１２の真横より後方に配置するとともに、吐水管２００の正面側からみた場合、前記第１キャップ体１０の背面側に隠れるように配置したことを特徴とする吐水管キャップ１００」である。
【０００７】
この吐水管キャップ１００においては、例えば図５に示すように、第１キャップ体１０に対する第２キャップ体２０の接合縁部３０が、吐水管２００の正面側からみた場合、当該第１キャップ体１０の背面側に隠れる、すなわち、接合縁部３０が垂下部２１２の中心線から後方に位置することになり、その接合縁部３０に手や食器等の物が衝突し難くなるのである。よって、本発明の吐水管キャップ１００は、吐水管２００から不用意に外れ難くなるのである。
【０００８】
【発明の実施の形態】
さて、以上のように構成した本発明を、図面に示した実施の形態である吐水管キャップ１００について説明すると、次の通りである。
【０００９】
本発明に係る吐水管キャップ１００は、図１に示したように、台所や浴室に設置される湯水混合水栓等の水栓の吐水管２００に一体化されるものであるが、本実施形態の吐水管キャップ１００が適用される吐水管２００は、図２、図１０に示したような構成を有しているものである。そこで、本発明に係る吐水管キャップ１００を説明する前に、この吐水管２００について説明すると、次の通りである。
【００１０】
すなわち、この吐水管２００は、丸パイプからなる杆部２１０の先端部２１１に、下端が吐水口２１３となっている垂下部２１２を一体化して形成したものであり、この吐水管２００の吐水口２１３内には、図２に示したように、整流器２２０が収納配置され、この整流器２２０の下端は整流器キャップ２２１によって覆蓋されることになるものである。また、吐水口２１３の前端面の下部には、図２に示したように、後述する第１キャップ体１０側の係止突起１６が係合されるべき突起受部２１４が一体的に形成してある。
【００１１】
整流器キャップ２２１は、図２及び図１１に示したように、吐水口２１３内に螺着される取付ネジ部２２２と、この取付ネジ部２２２の外径より大きい鍔部２２３とを有しているものである。つまり、この整流器キャップ２２１は、図２に示したように、吐水管２００の先端部分に本発明に係る吐水管キャップ１００を一体化した後に、吐水口２１３内に整流器２２０を収納してから、その取付ネジ部２２２にて吐水口２１３内に螺着されるものである。
【００１２】
この整流器キャップ２２１が吐水管２００の先端部に取り付けられると、図２に示したように、その鍔部２２３の上面側になる水平段部にて、吐水管キャップ１００を構成している後述の第１キャップ体１０の、垂下部２１２を包み込んでいる部分の下端面と、第１キャップ体１０に嵌合された後述の第２キャップ体２０の前方下面とを受承することになる。つまり、この整流器キャップ２２１は、吐水管２００の先端部に一体化した後述の吐水管キャップ１００を、その鍔部２２３にて吐水管２００側に確実に一体化するものでもある。
【００１３】
以上のような吐水管２００に一体化される吐水管キャップ１００は、図４〜図６に示した第１キャップ体１０と、図７〜図９に示した第２キャップ体２０とを備えたものであり、これらの第１キャップ体１０及び第２キャップ体２０は、断熱性に富む合成樹脂によりそれぞれ一体成形したものである。なお、本実施形態の第１キャップ体１０及び第２キャップ体２０は、同一色のものとして形成されているのであるが、第１キャップ体１０と第２キャップ体２０との色をそれぞれ異ならせれば、吐水管キャップ１００をツートーンカラーのものとなることができて、当該吐水管キャップ１００全体の意匠的美観をより一層向上させることができるものであり、分割したことによる長所を十分に生かすことができるものである。
【００１４】
本実施形態の第１キャップ体１０は、図２等にて示したように、吐水管２００の先端部分を被覆する本体部１１を有している。つまり、この本体部１１は、吐水管２００側の先端部２１１の上方と垂下部２１２の後側を除いた周囲とを包み込む略球状の前部と、杆部２１０の上側半分を包み込んで当該杆部２１０上に載置される後部とからなり、これらの前部及び後部を滑らかな曲面で連続させたものである。この本体部１１は、吐水管２００の杆部２１０に取着されるものであるが、上記の実施形態のようにする他、例えば垂下部２１２側にのみ取着されるものとして実施してもよい。
【００１５】
また、この吐水管キャップ１００の第１キャップ体１０においては、垂下部２１２に対応する部分の背面側に、図５に示すように、下端が開放されて両側の開口端縁が平行な開口１４が形成してある。この開口１４は、後述する第２キャップ体２０により覆蓋されるものであり、この開口１４部分において、垂下部２１２における第１キャップ体１０と第２キャップ体２０との接合縁部３０が形成される。
【００１６】
接合縁部３０はその開度が重要であるが、この開度を、垂下部２１２の中心からみた場合の中心角で説明すると、次の通りである。すなわち、実施形態における接合縁部３０の中心角は、図５に示すように、約９０°程度であるが、この中心角は、垂下部２１２における第１キャップ体１０と第２キャップ体２０との接合縁部３０を該垂下部２１２の真横より後方に配置するように規定するものであり、そのためには最大で１８０°を越えない範囲であればよく、好ましいのは、６０°〜１２０°の範囲である。この理由は、６０゜未満であると、分割体として第２キャップ２０を形成し難く、１２０゜を越えると、接合縁部３０に物品が衝突し易くなるからである。これらを考慮すると、８０゜〜１００゜が最適である。なお、この中心角は、垂下部２１２が四角形や六角形のものであったとしても、その中心に対する中心角として捉えればよいものである。
【００１７】
以上のように、接合縁部３０が形成する、垂下部２１２の底面からみた中心に対する中心角を規定した結果、この接合縁部３０は、図７に示すように、杆部２１０の直下に位置するとともに、第１キャップ体１０の真横から後方に位置することになるのである。
【００１８】
また、上述した開口１４は、特に図３から明らかなように、その開口端縁が垂直方向に位置することになるものである。この開口１４部分には、図５に示したように、スライド係合部１５が一体的に形成してあり、このスライド係合部１５には、後述する第２キャップ体２０側のスライド係合部２３が係合されることになるものである。また、この第１キャップ体１０では、図２及び図３に示したように、その本体部１１の正面となる部分の内側下端に係止突起１６が形成してあり、この係止突起１６は、前述した吐水管２００における吐水口２１３側に一体成形した突起受部２１４に対して、図２に示したように係合することになるものである。
【００１９】
なお、本実施形態の本体部１１の後部の両下端に対しては、特に図６の（イ）に明示したように、腕部１２がそれぞれ一体的に形成してある。これら各腕部１２は、杆部２１０の側面の外周の半周を越えて抱持することになるものである。これらの各腕部１２は、当該第１キャップ体１０が吐水管２００の前方部分に上方から嵌合されるとき、杆部２１０の外周面によって拡開されることになり、嵌合が完了すれば、自身が有する弾力性によって元の状態、つまり図６に示した状態に復帰するものである。従って、これらの腕部１２は、第１キャップ体１０単独で吐水管２００の先端部に嵌合されたときの上下方向へのガタつきの防止と、抜け止めとの、２つの作用を発揮することになるものである。
【００２０】
各腕部１２の下端には、図３〜図６に示したように、外方に突出する拡開防止片１３が一体的に形成してある。これらの拡開防止片１３は、各腕部１２の下端にて横方向に延在するものとして各腕部１２と一体的に形成したものであり、特に図６の（イ）に示したように、各腕部１２が杆部２１０を抱持する形状にしてあるのに対し、当該拡開防止片１３は、杆部２１０の下方、すなわち、第２キャップ体２０の装着方向に突出する状態となるものである。また、この拡開防止片１３は、後述する第２キャップ体２０の嵌合収納部２１側に形成した拡開阻止凹部２２内に収納されるのである。これら各腕部１２及び拡開防止片１３は、杆部２１０の下方に開口することになる補助開口１４ａを形成するものである。一方本体部１１の前部の下端は、当該前部を先端部２１１及び垂下部２１２上に嵌合するための挿入開口１４ｂとなっている。
【００２１】
ところで、第１キャップ体１０に対して、図２及び図３に示したように取り付けられる第２キャップ体２０は、図３の下方部分にて示したように、その後端面を背面から見た場合、図９の（イ）に示したような半円弧状のものとなるものである。つまり、この第２キャップ体２０は、図６〜図８にも示したように、腕部１２の下面を包み込む嵌合収納部２１を有したものであり、この嵌合収納部２１の内側には、第１キャップ体１０側の各拡開防止片１３を係合収納することになる拡開阻止凹部２２がそれぞれ形成してある。そして、この第２キャップ体２０の前端面には、第１キャップ体１０側のスライド係合部１５に下方から挿入して係合されるスライド係合部２３が形成してある。
【００２２】
また、この第２キャップ体２０は、第１キャップ体１０の前面からみた場合、図８に示したように、この第１キャップ体１０の後に完全に隠れてしまうものであり、しかも側面から見ても、例えば図７に示したように、第１キャップ体１０の陰になった部分に隠れてしまう小さなものである。このため、これらの第１キャップ体１０と第２キャップ体２０との接合縁部３０は、上述したように、垂下部２１２の横からみた場合、この垂下部２１２の中心線から後方に位置することになり、この接合縁部３０が第１キャップ体１０の真横から前方に露出することは全くないのである。
【００２３】
すなわち、この第２キャップ体２０は、図３にも示したように、第１キャップ体１０の下側からその各補助開口１４ａ及び開口１４を覆蓋するために使用されるものであり、まず前端部に形成してあるスライド係合部２３の上端を、第１キャップ体１０側のスライド係合部１５の下端に係合させて、そのまま全体を上方にスライドさせることにより、第１キャップ体１０側に嵌合されるものである。そして、その嵌合収納部２１によって第１キャップ体１０側の両腕部１２の下面を包み込み、そのまま強く押し込むことにより、拡開阻止凹部２２が第１キャップ体１０側の拡開防止片１３をその中に収納し、これによって、第１キャップ体１０側の両腕部１２の拡開を防止するのである。
【００２４】
なお、本実施形態の吐水管キャップ１００を構成している第１キャップ体１０においては、図３〜図９に示すように、前述した腕部１２の近傍に位置する本体部１１に、係合片１７が形成してあり、この係合片１７に対応する第２キャップ体２０側には、嵌合片２４が形成してある。これらの係合片１７及び嵌合片２４は、第１キャップ体１０及び第２キャップ体２０を一体化する場合の係合作用を発揮するものであって、係合片１７の下部には外方に突出する係合突状１７ａが一体的に形成してあり、この係合突状１７ａを係止するための嵌合溝２４ａが嵌合片２４の内側上部に形成してある。
【００２５】
第２キャップ体２０側の嵌合片２４は、第１キャップ体１０側の係合片１７を外から包み込むことになるものであり、この包み込みが完了したときに、係合片１７の係合突条１７ａが嵌合片２４の嵌合溝２４ａ内に嵌合係止されるものである。そして、係合突条１７ａと嵌合溝２４ａとが嵌合係止した場合には、「カチッ」という音がするのであるが、この音により、両者が互いに完全に嵌合されたことを耳で確認することができるものである。
【００２６】
【発明の効果】
以上詳述した通り、本発明においては、上記のように構成したことにその構成上の特徴があり、これにより、杆部２１０に対する一体化を確実に行うことができることは当然として、第１キャップ体１０と第２キャップ体２０との接合縁部３０を、吐水管２００を構成している垂下部２１２の後方に隠れるようにすることができて、各接合縁部３０に物等が不注意に衝突しないようにすることができるのであり、結果として、吐水管２００から簡単に外れないようにすることができる吐水管キャップ１００を提供することができるのである。
【図面の簡単な説明】
【図１】本発明に係る吐水管キャップを台所の水栓に接続される吐水管に適用した状態を示す斜視図である。
【図２】同吐水管キャップの拡大断面図である。
【図３】同吐水管キャップを構成している第１キャップ体に第２キャップ体を嵌合する状態を示した、図５の３−３線に沿ってみた断面図である。
【図４】第１キャップ体の側面図である。
【図５】第１キャップ体の底面図である。
【図６】第１キャップ体と第２キャップ体との関係を示すもので、（イ）は主として第１キャップ体の拡大端面図、（ロ）は上記（イ）中の４線部の部分拡大端面図である。
【図７】第２キャップ体の、図８の（イ）中の６−６線に沿ってみた部分縦断側面図である。
【図８】第２キャップ体を示すもので、（イ）はその平面図、（ロ）はその底面図である。
【図９】第２キャップ体を示すもので、（イ）はその背面からみた端面図、（ロ）は上記（イ）中の７線部の部分拡大端面図である。
【図１０】吐水管を示すもので、（イ）はその平面図、（ロ）は一部破断側面図である。
【図１１】吐水管の吐水口に取り付けられる整流器キャップの部分破断拡大正面図である。
【図１２】従来の技術を示す概略側面図である。
【符号の説明】
１００  吐水管キャップ
１０  第１キャップ体
１１  本体部
１２  腕部
１３  拡開防止片
１４  開口
１４ａ  補助開口
１４ｂ  挿入開口
１５  スライド係合部
１６  係止突起
１７  係合片
１７ａ  係合突条
２０  第２キャップ体
２１  嵌合収納部
２２  拡開阻止凹部
２３  スライド係合部
２４  嵌合片
２４ａ  嵌合溝
３０  接合縁部
２００  吐水管
２１０  杆部
２１１  先端部
２１２  垂下部
２１３  吐水口
２１４  突起受部
２２０  整流器
２２１  整流器キャップ
２２２  取付ネジ部
２２３  鍔部
【図１】
0004051489.tif 000002
【図２】
0004051489.tif 000003
【図３】
0004051489.tif 000004
【図４】
0004051489.tif 000005
【図５】
0004051489.tif 000006
【図６】
0004051489.tif 000007
【図７】
0004051489.tif 000008
【図８】
0004051489.tif 000009
【図９】
0004051489.tif 000010
【図１０】
0004051489.tif 000011
【図１１】
0004051489.tif 000012
【図１２】
0004051489.tif 000013